(57)【要約】【課題】触媒の劣化によって短時間内に発生するセル電圧の低下に基く出力低下を回復せしめて、高効率の安定した一定の電力を負荷に供給できる固体高分子形燃料電池発電装置を提供する。【解決手段】固体高分子形燃料電池１０と電気二重層キャパシタ２０を並列に接続し、流量調整弁７１で固体高分子形燃料電池１０に供給する空気量を３０から６０分の時間間隔毎に絞ることによって、セル電圧を１００ｍＶ以下に５から１０秒間保持せしめ、その後元の空気量に復元する。【選択図】図１
2007242391.tif 000002
【特許請求の範囲】
【請求項１】
固体高分子形燃料電池発電装置の運転時に固体高分子形燃料電池の電極部の触媒表面に酸化物が付着して生じるセル電圧の低下を、該固体高分子形燃料電池に供給する酸化剤ガス量を所定の時間間隔毎に絞ることによって、回復させる固体高分子形燃料電池発電装置であって、
前記固体高分子燃料電池と電気二重層キャパシタを並列に接続し、前記酸化剤ガス量の所定の時間間隔毎の絞りが、セル電圧を所定値以下に低下させ、かつ該所定値以下に所定時間保持せしめ、その後元の酸化剤ガス量に復元させることによってセル電圧を回復させ負荷に、常時一定の電力を供給できることを特徴とする固体高分子形燃料電池発電装置。
【請求項２】
前記低下させるセル電圧の所定値が１００ｍＶであり、前記所定時間が５から１０秒であることを特徴とする請求項１に記載の固体高分子形燃料電池発電装置。
【請求項３】
前記酸化剤ガス量を絞る所定の時間間隔が３０から６０分、より好ましくは５０から６０分であることを特徴とする請求項１または２に記載の固体高分子形燃料電池発電装置。
【請求項４】
前記並列に接続した固体高分子形燃料電池と、前記電気二重層キャパシタとに続けてインバータが接続され、
前記固体高分子形燃料電池と前記インバータとが接続される主回路にアノード側が前記固体高分子形燃料電池側となるように第１ダイオードを挿入し、かつ該ダイオードに並列にスイッチを挿入し、
さらに、前記電気二重層キャパシタと前記インバータとの間にアノード側が該電気二重層キャパシタ側となるように第２ダイオードを挿入し、前記固体高分子形燃料電池と前記電気二重層キャパシタとの間に抵抗を挿入したことを特徴とする請求項１乃至３のいずれか１に記載の固体高分子形燃料電池発電装置。
【請求項５】
前記酸化剤ガスが、空気であることを特徴とする請求項１乃至４のいずれか１に記載の固体高分子形燃料電池発電装置。  
【発明の詳細な説明】
【技術分野】
【０００１】
本発明は、高分子イオン交換膜を電解質膜として用い、燃料ガスと酸化剤ガスを導入して電気化学反応により電気エネルギーを得る固体高分子形燃料電池に関し、より詳しくは、触媒の劣化に基づくセル電圧の低下を回復させる固体高分子形燃料電池発電装置（以下「燃料電池」または「ＰＥＦＣ」ともいう。）に関する。
【背景技術】
【０００２】
図１５は従来例に係るＰＥＦＣ発電装置の要部の説明図である。
電流計５４によって計測された発電量に応じ、空気側コントローラ５１により制御される流量調整弁７１で調節され、分配調整弁７２で分配された空気の一方が、加湿器６１によって加湿され、しかる後に他方の無加湿の空気と混合され、所定の流量と加湿度に調整されてＰＥＦＣ１０に供給される。また、電流計５４によって計測された発電量に応じ、燃料側コントローラ５２により制御される流量調整弁８１で調節され、分配調整弁８２で分配された燃料の一方が、加湿器６２によって加湿され、しかる後に他方の無加湿の燃料と混合され、所定の流量と加湿度に調整されてＰＥＦＣ１０に供給される。
【０００３】
上記ＰＥＦＣ１０の燃料電池スタックは、一般に固体高分子電解質膜の両面に触媒層と多孔質の拡散層からなる電極を接合した膜電極接合体と、ガス流通溝を備えたガス不透過性のセパレータとを積層して構成されている。
図１６は従来例に係るＰＥＦＣの使用時間とセル電圧との関係を示したグラフである。図１６に示めされるように、当初約８００ｍＶのセル電圧は運転時間が経過すると共に低下し、３５時間経過後には７５０ｍＶ弱になり、その後も低下を続けている。このセル電圧の低下は比較的短時間内に発生し、ＰＥＦＣの効率の低下となる。
これは、燃料電池を高電圧条件下で運転すると、触媒表面が酸化されて酸化物が付着し、有効な触媒表面積が減少するためである。
【０００４】
下記特許文献１には、カソードに酸化剤流れを供給し、アノードに燃料流れを供給し、次いで燃料電池から電力を生成し続けながら、アノードの少なくとも一部分で周期的かつ瞬間的な燃料欠乏状態を生じさせ、アノード電位を増加せしめて、アノードの電極触媒からの電極触媒毒を酸化除去し、燃料電池の性能を向上する方法および装置が示されている。
【０００５】
またこの発明はアノードの触媒被毒を除去するものであり、カソード触媒の回復には寄与しない。
【特許文献１】特表２００２−５００４２１号公報
【発明の開示】
【発明が解決しようとする課題】
【０００６】
しかしながら、上記特許文献１に示されている比較的短時間内に発生するＰＥＦＣのセル電圧の回復方法は、アノードの少なくとも一部分で周期的かつ瞬間的な燃料欠乏状態を生じさせて、アノード電位を上昇させ、アノードの電位がカソードの電位より小さい範囲内において再度燃料を供給して転極しない範囲でセル電圧を回復させる方法であり、燃料電池スタックの構造が複雑となり、また制御が複雑になるという問題がある。
【０００７】
本発明は比較的短時間内に発生するＰＥＦＣの効率の低下に鑑みてなされたものであり、ＰＥＦＣのセル電圧の低下を簡単な装置で、かつ確実に制御できる高効率のＰＥＦＣ発電装置を提供することにある。
【課題を解決するための手段】
【０００８】
上記の課題を解決するための第１の発明は、固体高分子形燃料電池発電装置の運転時に固体高分子形燃料電池の電極部の触媒表面に酸化物が付着して生じるセル電圧の低下を、該固体高分子形燃料電池に供給する酸化剤ガス量を所定の時間間隔毎に絞ることによって、回復させる固体高分子形燃料電池発電装置であって、前記固体高分子燃料電池と電気二重層キャパシタ（以下「ＥＤＬＣ」ともいう。）を並列に接続し、前記酸化剤ガス量の所定の時間間隔毎の絞りが、セル電圧を所定値以下に低下させ、かつ該所定値以下に所定時間保持せしめ、その後元の酸化剤ガス量に復元させることによってセル電圧を回復させる。この空気流量を低減して元に戻すまでの間はＰＥＦＣからの出力供給は停止するため、この間にＥＤＬＣからエネルギーを供給して負荷に常時一定の電力を供給することを特徴とする固体高分子形燃料電池発電装置である。
【０００９】
第２の発明は、第１の発明において、前記低下させるセル電圧の所定値が１００ｍＶであり、前記所定時間が５から１０秒であることを特徴とする固体高分子形燃料電池発電装置である。
【００１０】
第３の発明は、第１または第２の発明において、前記酸化剤ガス量を絞る所定の時間間隔が３０から６０分、より好ましくは５０から６０分であることを特徴とする固体高分子形燃料電池発電装置である。
【００１１】
第４の発明は、第１乃至第３の発明において、前記並列に接続した固体高分子形燃料電池と、前記電気二重層キャパシタとに続けてインバータが接続され、前記固体高分子形燃料電池と前記インバータとが接続される主回路にアノード側が前記固体高分子形燃料電池側となるように第１ダイオードを挿入し、かつ該ダイオードに並列にスイッチを挿入し、さらに、前記電気二重層キャパシタと前記インバータとの間にアノード側が該電気二重層キャパシタ側となるように第２ダイオードを挿入し、前記固体高分子形燃料電池と前記電気二重層キャパシタとの間に抵抗を挿入したことを特徴とする固体高分子形燃料電池発電装置である。
【００１２】
第５の発明は、第１乃至第４の発明において、前記酸化剤ガスが、空気であることを特徴とする固体高分子形燃料電池発電装置である。
【発明の効果】
【００１３】
本発明は、前記固体高分子燃料電池と電気二重層キャパシタを並列に接続し、前記酸化剤ガス量の所定の時間間隔毎の絞りが、セル電圧を所定値以下に低下させ、かつ該所定値以下に所定時間保持せしめ、その後元の酸化剤ガス量に復元させることによってセル電圧を回復させるものであるから、固体高分子形燃料電池発電装置を連続して高電圧で運転した場合に、触媒の劣化によって短時間内に発生するセル電圧の低下に基く出力低下を回復せしめて、高効率の安定した電力の供給が可能な発電装置を提供できるという効果がある。
【００１４】
また、並列に接続した前記固体高分子形燃料電池と、前記電気二重層キャパシタに続けてインバータが接続される電気回路において、前記固体高分子形燃料電池と前記インバータとが接続される主回路にアノード側が前記固体高分子形燃料電池側となるように第１ダイオードを挿入し、かつ該第１ダイオードに並列にスイッチを挿入し、さらに、前記電気二重層キャパシタと前記インバータとの間にアノード側が該電気二重層キャパシタ側となるように第２ダイオードを挿入し、前記固体高分子形燃料電池と前記電気二重層キャパシタとの間に抵抗を挿入したことを特徴とする固体高分子形燃料電池発電装置であるから、ＥＤＬＣの作動中はＥＤＬＣからＰＥＦＣへのエネルギー注入は避けられ、ＥＤＬＣから負荷への電力供給が終了した後のＰＥＦＣによる主回路を通したＥＤＬＣの充電が抑制され、簡単な回路にして、安定した一定の電力供給が可能な発電装置を提供できるという効果がある。
【発明を実施するための最良の形態】
【００１５】
図１は本発明の実施の形態に係るＰＥＦＣ発電装置の説明図である。
【００１６】
ＰＥＦＣを高電圧で運転したときに生じるセル電圧の低下は、上記の通り、触媒の表面に酸化物が付着し触媒の表面積を低下させるためであるが、セル電圧を定期的にパルス状に低下させると触媒に付着した酸化物が除去され、触媒の活性が高められて、セル電圧を回復させることができる。この場合、セル電圧を単に低下させるとＰＥＦＣから負荷への電力供給の低減或いは停止をすることになり、ＰＥＦＣ発電装置全体の電力供給が低減或いは停止となるので、これを回復して安定した一定の電力供給を行う必要がある。
【００１７】
そのため、図１５に示した従来例に係るＰＥＦＣ発電装置に対して、本実施の形態に係るＰＥＦＣ発電装置はＥＤＬＣ２０と、ＰＥＦＣ１０に供給する空気量を制御するためのコントローラ５３を付加している。その他は図１５と同一であり、同一の部分には同一の符号を付して詳細な説明は省略する。
【００１８】
図２は、本発明の実施の形態に係るＰＥＦＣ発電装置の基本回路の説明図であり、触媒に付着した酸化物を除去するために、空気量を絞ってセル電圧を低下させたときにも、負荷に連続した一定の電力を供給できるようにするためのＥＤＬＣ２０の説明を容易にするために、図１に示すＰＥＦＣ発電装置から抜き出したものである。
【００１９】
図３は本発明の実施の形態に係るＰＥＦＣから負荷への電力供給パターンの説明図であり、図（Ａ）はＰＥＦＣから負荷への電力供給パターン、図（Ｂ）はＥＤＬＣから負荷への電力供給パターン、図（Ｃ）はＰＥＦＣ発電装置から負荷への電力供給パターンを示している。図３に示す通り、ＰＥＦＣ１０から負荷３０への供給電力は、定期的にパルス状に低下する（図（Ａ））が、ＥＤＬＣ２０が並列に接続されているので、ＰＥＦＣ１０の供給電力が低下したときのみ、同量の電力がＥＤＬＣから負荷３０へ供給され(図（Ｂ）)、ＰＥＦＣ発電装置１００としては常に一定の電力を負荷３０に供給する(図（Ｃ）)ことが可能となる。
【００２０】
図４は本発明の実施の形態に係るカソードの空気流量の絞り時間とセル電圧との関係を示したグラフであり、図３に示されたＰＥＦＣ発電装置１００おいて、セル電圧低下用空気コントローラ５３から指令を発して、空気流量を当初の約１/５（空気利用率１４０％）に流量調整弁７１を絞ったときの、時間経過に対するセル電圧の低下状況を示している。当初約８００ｍＶであったセル電圧は、約４秒経過までは序々に、約１４秒経過までは急速に低下し、その後は低下速度が急減し、略一定値に留まっている。
【００２１】
約４秒経過まで序々に低下しているのは、加湿器６１およびセル内に存在している空気のためであり、約１６秒経過後に略一定値なるのは、当初の１/５の空気量が供給されているためである。空気流量の絞りを開始してから７、１２、１９、２３、３４秒後にその空気流量を元の状態に戻したときのセル電圧の回復の状況を図４において破線で示しているが、いずれも８００ｍＶを超えるところまで回復している。
セル電圧の低下値を低くし、またその値で長時間保持すれば、それにつれて回復したセル電圧のピーク値が高くなり、セル電圧の低下値が小さく、またその保持時間が短かいときは、回復したセル電圧のピーク値が低くなる。
【００２２】
なお、セル電圧が４００ｍＶに達するまでに、空気量の絞り開始後約１０秒要しているが、これは加湿器６１およびセルが一定の容積を有しているからであり、セル電圧を完全なパルス状に低下させることは物理的に不可能であり、適切な空気流量の絞り時間を決定するに際しては、セル電圧が所定値に達した後の時間を所定の値に定めることが必要となる。
【００２３】
図５は本発明の実施の形態に係るカソードの空気流量の絞りとセル電圧・セル抵抗波形との関係を示したグラフであり、図４における空気流量の絞りを開始した後、セル電圧が回復する前後のセル電圧とセル抵抗を、拡大して表示したものである。図５において、空気流量の回復直後にセル電圧は回復し、約８３０ｍＶ近くまで達し、その後は双曲線的に低下している。一方セル抵抗は、空気流量を絞ると同時に減少し、元に戻すと復帰している。
【００２４】
これは、空気流量を絞るとセルから排出される水分量が低減するため、セル内に水分が滞留し、その結果としてセル抵抗が低下し、触媒層内の水分の増加による触媒層の濡れが増大するためセル電圧にピーク状の回復が見られた。しかし、この過剰水分は反応ガスによって持ち去られるため、１００ｍｓ程度で元に戻り、高い電圧を維持する時間は短いためＰＥＦＣの有効な電圧とはならない。従って触媒の表面に付着する酸化物の除去がセル電圧回復の基本となる。
【００２５】
図６は本発明の実施の形態に係るカソードの空気流量に絞りを所定時間毎に加えたときの経過時間とセル電圧との関係を示したグラフであり、ＰＥＦＣの連続運転において所定時間（１Ｈ）毎に、空気流量を絞ったときのセル電圧の回復状況を示し（運転開始後１１から１７Ｈ間は空気流量の絞りを中止）、併せて図１６に示した、空気流量を絞らなかったときのセル電圧を２点鎖線で示している。図６に示されるように、所定時間（１Ｈ）毎に空気流量を絞れば、セル電圧を高レベル（７９０ｍＶ超）に保持することが可能となる。
【００２６】
そして、空気絞りを行いパルス状のセル電圧波形を加えてセル電圧が回復した後、次の空気絞りを行うまでの間は、図１６のグラフに示される双曲線に従って、セル電圧が低下していく。セル電圧を高レベルに保持するには、空気絞りの時間間隔を小さくする必要があるが、この空気絞りの時間間隔を短かくしていくと、一定時間内のパルス状のセル電圧波形の繰返し回数が増加し、触媒が劣化し、詳しくは触媒の表面積が減少し、燃料電池の有効な電圧が低下することになるので、自ずと制限を受ける。
【００２７】
また、空気絞りの時間間隔を極端に小さくすると、ＥＤＬＣの充電時間が短くなり、充電不足となるので、この点からも空気絞りの時間間隔が制約を受けることになる。
【００２８】
図７は燃料電池のセル電圧を９００ｍＶ〜７００ｍＶ（iR-free potential）で１分当たり１回の繰返しを加えたときの触媒（Ｐｔ,Ｃｏ／Ｃ）の有効な表面積の低下状況を示した文献値（The Electrochemical Society Interface/Fall 2005 by Mark F Mathias et al,”Two fuel Cell Cars in Every Garage.”）であり、１万回を超えると低下率が大きくなる傾向が見られる。空気絞りの時間間隔を１Ｈとすると、連続運転時の年間のパルス状のセル電圧波形の繰返し回数は６５７０回（夜間は６Ｈ停止するＤＳＳ運転とすると１８回/日×３６５日＝６５７０回）となり、空気絞りの時間間隔を３０分とすると、年間のパルス状のセル電圧波形の繰返し回数は１３１４０回となるので、空気絞りの時間間隔は３０分〜１Ｈが目安となる。
【００２９】
なお、図８は、パルス状のセル電圧波形を繰返し加えて、セル電圧の回復状態をグラフ表示したものであり、図（Ａ）はカソードの加湿温度を７０℃、図（Ｂ）はカソードの加湿温度を６５℃にしたものである。図（Ａ）に示すカソードの加湿温度が７０℃の場合は、パルス状のセル電圧波形を加えた１Ｈ後（詳しくは、空気の流量弁の絞りを開始してから１Ｈ後）のセル電圧（２点鎖線で表示）を見ると、繰返し回数が増加する毎に低下しているが、図（Ｂ）に示したカソードの加湿温度を６５℃に低下させて加湿量を抑えたものは、パルス状のセル電圧波形を加えた１Ｈ後のセル電圧は、繰返し回数が増加しても殆んど低下していない。このようにセル電圧が低下するのは湿度が高いため、パルス状のセル電圧波形を繰返し加えると水分が蓄積され、フラッディングが発生したためであり、加湿温度を６５℃に低下させるのが好ましい。
【００３０】
図９は本発明の実施の形態に係るＰＥＦＣ装置の詳細な電気回路図である。図９において、図１と同様にＰＥＦＣ１０とインバータ４０の間に並列にＥＤＬＣ２０が接続されている。
【００３１】
９１はＰＥＦＣ１０とＥＤＬＣ２０との間に挿入された抵抗であり、ＥＤＬＣ２０の充電を一定の時間を掛けて行うようにするためのものである。
【００３２】
９２はＰＥＦＣ１０とインバータ４０との間に挿入された第1ダイオードであり、ＥＤＬＣ２０から電力を負荷３０に供給する場合には、ＰＥＦＣ１０のセル電圧は低下しているため、ＰＥＦＣ１０にエネルギーが流入することになるので、これを抑制するために挿入されるものでる。９４はその第１ダイオード９２に並列に挿入されたスイッチであり、第１ダイオード９２には常時主回路の電流が流れて電圧降下が生じるので、ＰＥＦＣの運転中に第１ダイオード９２を機械的に短絡して効率低下をなくすためのものである。
【００３３】
９３はＥＤＬＣ２０とインバータ４０との間に挿入された第２ダイオードであり、ＥＤＬＣ２０からインバータ４０を介して負荷３０への電力供給を終えた瞬間はＥＤＬＣ２０の電圧は低下しているため、ＰＥＦＣ１０から主回路を通してＥＤＬＣ２０を充電する回路が形成されることになるので、ＥＤＬＣ２０とインバータ４０との間に挿入して、主回路を通してＥＤＬＣ２０を直接充電できないように抑制するものである。スイッチ９４はＰＥＦＣの運転中に閉状態され、ＥＤＬＣ２０から負荷３０へ電力を供給しているときは開状態とし、ＰＥＦＣ１０のセル電圧の低下約１０秒前から開状態にされ、ＥＤＬＣ２０からインバータ４０を介して行われる負荷３０への電力注入終了１０秒後に再度閉状態に戻して、第１ダイオード９２を短絡する。
【００３４】
このように構成された回路では、ＥＤＬＣ２０の作動中はＥＤＬＣ２０からＰＥＦＣ１０へのエネルギー注入は避けられ、ＥＤＬＣ２０から負荷３０への電力供給が終了した後のＰＥＦＣ１０による主回路を通したＥＤＬＣ２０の充電が抑制される。
【００３５】
なお、本実施の形態において、空気の絞りは空気の流量調整弁７１（図１）により実施したが、これに限定されるものではなく、ＰＥＦＣの入り口に開閉弁を設けて実施してもよい。また加湿器は外部加湿器の膜加湿方式やバブラー加湿方式に限定されるものではなく、直接内部加湿方式、自己加湿方式でもよく、水蒸気添加方式でもよい。    
【００３６】
また、本実施の形態は負荷変動に対応可能なＰＥＦＣ装置としたが、負荷一定の定置式ＰＥＦＣ発電装置に適用できること、単層のセルのＰＥＦＣに限らずセルを複数積層したＰＥＦＣにも適用できることはいうまでもない。
【実施例】
【００３７】
以下、実施例に基いて、本発明についてより詳しく説明する。図１に示したものと同一のＰＥＦＣ発電装置を使用し、構成要素の仕様および運転条件は下記の通りとした。
【００３８】
ＰＥＦＣ発電装置仕様
セル
セルサイズ：５０ｍｍ×５０ｍｍ
電解質膜（Ｍ）：パーフルオロスルホン酸系イオン交換樹脂
加湿器
方式：外部加湿、バブラー加湿
容量：５Ｌ（水分量：４Ｌ、空気量：１Ｌ）
ＥＤＬＣ
定格電圧：２７Ｖ
定格電流：６０Ａ
最大電流：５５０Ａ
内部抵抗：１５ｍΩ
容量：１３５Ｆ
インバータ
最低電圧：２１Ｖ
運転条件
アノードへの供給ガス
ガスの種類：純水素、
ガス利用率：４０〜４７％
カソードへの供給ガス
ガスの種類：空気
ガス利用率：１００〜３００％
セル温度：８０℃
セルの加湿温度
アノード側：８０℃
カソード側：６５℃
セル初期電圧：約８００ｍＶ
セル電流３.２〜４.２Ａ
【００３９】
図１０は、本発明の実施例に係る空気利用率を変化（１００〜３００％）させたときの、セル電圧の低下状況を示すグラフである。図１０において、空気量を絞って空気利用率を３００％にすれば絞りを開始してから１０秒弱でセル電圧は０.１Ｖに達するが、空気量の絞りが少なく、空気利用率が１００〜１０５％では絞りを開始してから３０秒経過してもセル電圧が０.１Ｖまで低下することはない。
【００４０】
図１１は、本発明の実施例に係るＰＥＦＣにパルス状のセル電圧波形を繰返し加えたときの５分後毎のセル電圧（Ｖ５）を示したものであり、図（Ａ）はその繰返し５分後のセル電圧（Ｖ５）の時間的推移を示し（グラフ中破線）、図（Ｂ）はそのときのパルス状のセル電圧波形を示している。本実施例は、空気利用率が３００％であるが、セル電圧を０.１Ｖ以下に保持している時間が約２.５秒と短かいため、繰返し５分後のセル電圧（Ｖ５）が、繰返し回数が増加するにつれて低下している。
【００４１】
図１２は、図１１に示したものに対して、空気利用率は３００％と同じであるが、セル電圧を０.１Ｖ以下に保持している時間が約６.５秒と長いため、繰返し５分後のセル電圧（Ｖ５）は、繰返し回数が増加しても低下量が極めて小さい。
【００４２】
また、図１３は、図１１に示したものに対して、空気利用率は３００％と同じであるが、セル電圧を０.１Ｖ以下に保持している時間が約１１秒と長いため、繰返し５分後のセル電圧（Ｖ５）は、繰返し回数が増加しても低下量が図１２に示したものと同様極めて小さい。
【００４３】
空気利用率を調整するのは容易であり、空気利用率を大きくしてセル電圧を０.１Ｖ以下に５〜１０秒程度保持するのが好ましい。しかしセル電圧を０.１Ｖ以下に保持する時間をこれ以上長くしても、繰返し後のセル電圧を高めることは困難であり、逆にＥＤＬＣの容量を大きくすることになり好ましくない。
表１は、本実施例の仕様に基いてＥＤＬＣの必要容量を算出したものである。空気絞り時間が増大するとＥＤＬＣの必要容量が増大する。
【表１】
2007242391.tif 000003
【００４４】
図１４は、本発明の実施例に係る空気利用率を変化させたときの、セル電圧が０.１Ｖおよび０.６Ｖに低下するまでの時間を示したグラフである。
【００４５】
図１４に示される通り、空気利用率が１５０％では、セル電圧を０.１Ｖに低下させるには約１４秒、０.６Ｖに低下させるには約１１秒必要とし、空気利用率を３００％にすれば、セル電圧を０.６Ｖに低下させるには約７秒、０.１Ｖに低下させるには約１０秒で可能であり、空気利用率を１５０％から３００％にすれば所要時間を約２/３に短縮できる。
【００４６】
上記の通り、ＰＥＦＣに供給する空気量を空気利用率３００％に絞って、セル電圧を０.１Ｖ以下に５秒から１０秒保持した後に元に戻し、またこの空気絞りを３０分から６０分毎に行うことによって、触媒表面の酸化物を除去してセル電圧を回復し、またＥＤＬＣの容量も適切にして高効率の安定した電力の供給が可能な発電装置を提供することができる。
【図面の簡単な説明】
【００４７】
【図１】本発明の実施の形態に係るＰＥＦＣ発電装置の説明図である。
【図２】本発明の実施の形態に係るＰＥＦＣ発電装置の基本回路の説明図である。
【図３】本発明の実施の形態に係るＰＥＦＣからの電力供給パターンの説明図であり、図（Ａ）はＰＥＦＣからの電力供給パターン、図（Ｂ）はＥＤＬＣからの電力供給パターン、図（Ｃ）はＰＥＦＣ発電装置からの電力供給パターンを示している。
【図４】本発明の実施の形態に係るカソードの空気流量の絞り時間とセル電圧との関係を示したグラフである。
【図５】本発明の実施の形態に係るカソードの空気流量の絞りとセル電圧・セル抵抗波形との関係を示したグラフである。
【図６】本発明の実施の形態に係るカソードの空気流量に絞りを所定時間ごと加えたときの経過時間とセル電圧との関係を示したグラフである。
【図７】本発明の実施の形態に係るＰＥＦＣにパルス状のセル電圧波形を繰返し加えたときの触媒の有効面積の低下状況を示した文献値である。
【図８】本発明の実施の形態に係るＰＥＦＣにパルス状のセル電圧波形を繰返し加えたときセル電圧に対するカソードの加湿温度の影響を見たグラフであり、図（Ａ）は加湿温度が７０℃、図（Ｂ）は加湿温度６５℃の場合を示している。
【図９】本発明の実施の形態に係るＰＥＦＣ発電装置の詳細な電気回路図である。
【図１０】本発明の実施例に係る空気利用率を変化させたときの、セル電圧の低下状況を示すグラフである。
【図１１】本発明の実施の形態に係るＰＥＦＣにパルス状のセル電圧波形を繰返し加えたときの５分後毎のセル電圧（Ｖ５）を示したものであり、図（Ａ）は繰返し５分後のセル電圧（Ｖ５）の時間的推移を示し、図（Ｂ）はそのときのパルス状のセル電圧波形（空気利用率３００％、０.１Ｖ保持時間約２.５秒）を示している。
【図１２】本発明の実施の形態に係るＰＥＦＣにパルス状のセル電圧波形を繰返し加えたときの５分後毎のセル電圧（Ｖ５）を示したものであり、図（Ａ）は繰返し５分後のセル電圧（Ｖ５）の時間的推移を示し、図（Ｂ）はそのときのパルス状のセル電圧波形（空気利用率３００％、０.１Ｖ保持時間約６.５秒）を示している。
【図１３】本発明の実施の形態に係るＰＥＦＣにパルス状のセル電圧波形を繰返し加えたときの５分後毎のセル電圧（Ｖ５）を示したものであり、図（Ａ）は繰返し５分後のセル電圧（Ｖ５）の時間的推移を示し、図（Ｂ）はそのときのパルス状のセル電圧波形（空気利用率３００％、０.１Ｖ保持時間約１１秒）を示している。
【図１４】本発明の実施例に係る空気利用率を変化させたときの、セル電圧が所定の電圧に低下するまでの所要時間を示すグラフである。
【図１５】従来例に係るＰＥＦＣ発電装置の要部の説明図である。
【図１６】従来例に係るＰＥＦＣの使用時間とセル電圧との関係を示したグラフである。
【符号の説明】
【００４８】
１００．．燃料電池（ＰＥＦＣ）発電装置
１０・・燃料電池（ＰＥＦＣ）
２０・・電気二重層キャパシタ（ＥＤＬＣ）
３０・・負荷
４０・・インバータ
５０・・コントローラ
５１・・空気側コントローラ
５２・・燃料側コントローラ
５３・・セル電圧低下用空気コントローラ      
５４・・電流計
６０・・加湿器
６１・・空気側加湿器
６２・・燃料側加湿器
７０・・空気調整弁
７１・・流量調整弁
７２・・分配調整弁
８０・・燃料調整弁
８１・・流量調整弁
８２・・分配調整弁
９０・・回路
９１・・高抵抗
９２・・第１ダイオード
９３・・第２ダイオード
９４・・スイッチ
Ｐ・・ポンプ
Ｈ・・熱交換器
Ｍ・・電解質膜（高分子イオン交換膜）
Ｎ・・蒸気透過膜
【図１】
2007242391.tif 000004
【図２】
2007242391.tif 000005
【図３】
2007242391.tif 000006
【図４】
2007242391.tif 000007
【図５】
2007242391.tif 000008
【図６】
2007242391.tif 000009
【図７】
2007242391.tif 000010
【図８】
2007242391.tif 000011
【図９】
2007242391.tif 000012
【図１０】
2007242391.tif 000013
【図１１】
2007242391.tif 000014
【図１２】
2007242391.tif 000015
【図１３】
2007242391.tif 000016
【図１４】
2007242391.tif 000017
【図１５】
2007242391.tif 000018
【図１６】
2007242391.tif 000019